【手続補正書】
【提出日】平成17年7月15日(2005.7.15)
【手続補正１】
【補正対象書類名】特許請求の範囲
【補正対象項目名】請求項１２
【補正方法】変更
【補正の内容】
【請求項１２】
複数の無線装置に情報を放送する方法であって、
放送するための施設の選択に関する情報を受取ることと、
前記情報を、１つまたは複数の無線装置に表示するように適合された少なくとも１つのメニューを含む放送フレームにフォーマットすることと、および
前記放送フレームを周期的に再送信することとを含み、
前記放送フレームが、施設の代表者と通信するように適合された少なくとも１つの電話番号を含む、複数の無線装置に情報を放送する方法。
【手続補正２】
【補正対象書類名】明細書
【補正対象項目名】００１３
【補正方法】変更
【補正の内容】
【００１３】
図２は、図１に示されたシステムのより詳細なブロック図を示す。図２の実施形態の無線装置１００は、放送信号を受信するだけでなく、電話リンクを介して第２の接続を確立するようにも適合される。無線装置１００のこの実施形態により、無線装置ユーザは、放送ユニット２１０によって放送されるメニューから機能を選択し、放送メニューからユーザ選択を受取り、その選択に基づいて別個の電話リンクを介して商取引を処理することができる。無線装置１００は、電話アンテナ１２０に接続された電話処理ユニット１１０を有する。また、電話処理ユニット１１０は、通常の電話情報を格納し、本明細書で説明されるメニュー情報も格納してもよいメモリ１３０にも接続される。無線装置１００は、入力装置１５０（携帯電話１００の例では電話制御装置とすることができる）を含むユーザインタフェースを有する。また、入力装置１５０とメモリ１３０とは、ディスプレイ１４０にも接続される。無線装置１００が携帯電話１００である例では、ディスプレイ１４０は、リストに格納された電話番号等、メモリ１３０に格納された英数字の情報を表示することができる。また、図２に示された無線装置１００の実施形態は、情報を印刷するためにメモリ１３０に接続されたプリンタ１４５も含む。また、電話処理ユニット１１０、電話アンテナ１２０、メモリ１３０、ディスプレイ１４０、および入力装置１５０も、従来の携帯電話の既存の要素とすることができる。従来の携帯電話によっては、複数のモードを特徴とし、たとえば、ゲームをするかまたは通話記録を見る機能を提供するため、無線装置１００の一実施形態は、本発明によるメニュー情報の閲覧を、携帯電話で実施され得る「ローカルアクセス」モードの一部として割付ける。
【手続補正３】
【補正対象書類名】明細書
【補正対象項目名】００１７
【補正方法】変更
【補正の内容】
【００１７】
無線装置１００は、電話アンテナ１２０を介したネットワーク２４０を通してベンダ２００の電話インタフェース２３０に対して要求を送信する。そして、ベンダ２００は、その電話インタフェース２３０を通して応答することにより、商取引を完了する。一実施形態では、ベンダ２００は、無線装置１００に対して確認番号、パスコード、あるいは商取引が完了したことを示すかまたは無線装置１００のユーザに対して自身で商取引を完了するために十分な情報を与える同様のインジケータを送信してもよい。かかる動作の１つの仮定的な例を提供すると、映画に行く人がメニュー構造を利用して特定の映画、上映時間、所望の大人チケットの数および所望の子供チケットの数を選択することができ、ユーザは、上述したような確認機能を使用して、すべての注文情報を電子的に自動的に映画館に中継することができ、その結果、ユーザがチケット売場に到着した時に、確認番号を提示して支払いを行うだけでよくなり、それにより商取引の全体が高速化され、誤りの危険性が潜在的に低減する。別の実施形態では、無線装置１００のメモリ１３０は、無線装置１００のユーザに関するクレジットカード情報を格納するか、または受取る。このクレジットカード情報は、無線装置１００に事前格納されてもよく、あるいは電話接続を通して表示される問合せに応じて入力装置１５０を介して「生で」入力されてもよい。クレジットカード情報を利用できることにより、ベンダ２００と無線装置１００のユーザとは、映画チケットの購入に関する商取引等、無線リンクを介して購入の商取引を完了することが可能になる。この例では、ベンダ２００は、ベンダ２００内、または外部端末、またはキオスクにおいて出力装置２５０を有してもよい。出力装置２５０は、事前にベンダ２００から無線装置１００に送信された確認コードのエントリを受取ると、無線装置１００のユーザに対して実際の映画チケットを出力してもよい。代案として、商取引は、無線リンクを介して完了しなくてもよく、映画館ロビーのキオスク等の出力装置２５０を使用して受領証または他の確認番号を出力することを含んでもよい。無線装置１００のユーザは、そのコードを出力装置２５０に入力してもよく、映画チケットを購入するための受領証を受取ってもよい。代案として、出力装置２５０は、確認コードを受取ってもよく、またクレジットカード番号を受入れてもよく、あるいは商取引を完了するためにクレジットカードが通されてもよい。出力装置２５０により商取引が完了すると、出力装置２５０は、チケットをユーザに出力することができる。図２に示されるもの等、さらに別の実施形態では、無線装置１００はプリンタ１４５を含み、商取引の対象、たとえば入場を許されるために使用され得る映画チケットを直接印刷することを可能にする、印刷情報を受取る。すなわち、映画館のベンダの例では、無線装置１００は実際の映画チケットを印刷してもよい。
【手続補正４】
【補正対象書類名】明細書
【補正対象項目名】００２１
【補正方法】変更
【補正の内容】
【００２１】
図６は、入力装置１５０を使用して「カサブランカ」の午後５時３０分上映を選択した後を示すディスプレイ１４０を有する無線装置１００を示す。図６に示された例では、ユーザは、その上映で入手可能なチケットの数を含む、「カサブランカ」の午後８時上映に関する情報を受取る。図６において、メニュー情報２２２は、ユーザが選択した映画のチケットを購入することができるようにする情報も含む。
【手続補正５】
【補正対象書類名】明細書
【補正対象項目名】００２７
【補正方法】変更
【補正の内容】
【００２７】
使用中、放送ユニット２１０は、ループ式に信号３００を連続的に放送することができる。一実施形態では、無線装置１００は、放送信号３００全体を格納するメモリを含む。無線装置１００は、メモリに信号３００を書き始めなければならないことを示す開始信号を受信する。この実施形態では、メモリを周期的に更新することにより、最新情報が格納されることを保証することができる。代替の実施形態では、無線装置１００は、入力装置１５０によっていずれのメニュー３３０が選択されたかを判定し、そのメニュー３３０のみを表示する。そして、現在表示されているメニュー３３０から選択を行う際、無線装置１００は、放送信号３００の次のループを待って、選択されたエントリ３８０に関連する信号情報を再び検索する。先のメニューからのコマンド情報３８８に基づき、無線装置１００は、ユーザによって選択されたメニューの名前または他のインジケータを知る。無線装置１００は、選択されたメニューに対する開始インジケータ３４０を受取ると、選択されたメニューとそのエントリ３８０に対する続く情報の処理を開始する。無線装置１００は、この情報をメモリ１３０に格納することができる。コマンド情報３８８を使用して、無線装置１００は、選択された情報を表示する。ユーザが、たとえば何かを購入するという選択を行うことにより商取引を開始するまで、またはユーザがローカルアクセス機能を出るまで、ユーザがメニュー３３０を行ったり来たりするにしたがい、このプロセスは繰返される。一実施形態では、無線装置は常にルートメニュー情報を格納して、ユーザが常に、メニュー階層において比較的上位のメニューに対するステップをさかのぼることができるようにする。
【手続補正６】
【補正対象書類名】明細書
【補正対象項目名】００２９
【補正方法】変更
【補正の内容】
【００２９】
図１０は、メニューに編成された情報を有する連続的にループする信号３００を受信する無線装置１００によって実行される際の、通信の方法５００のフローチャートを示す。無線装置１００は、ユーザ入力装置１５０からローカルアクセス選択を受取る。そして、無線装置１００の放送受信機処理ユニット１６０は、放送事業者から開始インジケータを受信するのを待つ。その後、放送受信機処理ユニット１６０は、信号３００の開始インジケータに続く初期メニュー情報を受信し（５３０）、関連メニュー情報をメモリ１３０に記録する。無線装置１００は、ディスプレイ１４０に初期メニューを表示する（５４０）。そして、無線装置１００は、ユーザ入力装置１５０を介してユーザからメニュー項目のうちの１つの選択を受取る（５５０）。無線装置１００は、受取ったメニュー選択に対応する開始インジケータを放送事業者から受信するのを待つ。そして、無線装置１００はさらに、メニュー選択に関連するメニューテキストおよびコマンド情報を受信する。その後、無線装置１００は、メニューテキスト情報に基づいて新たなメニューを表示する（５８０）。無線装置１００のユーザがメニューを行ったり来たりするにしたがい、メニュー選択プロセス５５０と、開始インジケータおよびメニュー情報の受信５６０および５７０と、メニュー表示プロセス５８０とが繰返される。一実施形態では、プロセス５２０、５３０、５６０、５７０で受信される情報は、無線装置１００のメモリ１３０に格納され得る。別の実施形態では、情報は、ＬＣＤディスプレイ１４０等のディスプレイ１４０にプロセス５４０または５８０を介して直接表示され得る。一実施形態では、ユーザはプロセス中いつでも、メニュー情報によってサポートされる商取引を要求することができる。かかる要求時、無線装置１００は、本明細書において説明されたように放送事業者２００により商取引の要求を開始してもよい。